(57)【特許請求の範囲】
【請求項１】
糸（４）を移動基材（１）へ付与する方法であって、糸が、互いに相手の方へ傾斜した二つのホイール（２、３）、プーリ又は他の回転素子の前記基材から離れた縁部間の周方向相互接触点又は近傍接触点の近くで給与され、各ホイールの上を走行するベルト上で外側に向けて又は各ホイール上で周方向に突出素子（７）が配置され、前記各突出素子は前記糸を前記周方向相互接触点又は近傍接触点であるいはその近くで係合するように配置されており、また前記糸を、係合した状態にある各突出素子がそのそれぞれの傾斜回転ホイール又はベルトと共に動くにつれて、前記基材の運動方向に対して側方向に動かし、前記糸が二つのホイール又はベルトの突出素子間でその側方へ延出した状態で載置される方法に於て、ホイールの内の少なくとも一つのホイール又はベルトの周囲部の少なくとも一つの部分に二つ又はそれ以上の係合突出素子を有し、前記係合突出素子は前記少なくとも一つの部分と同時に周方向相互接触点又は近傍接触点を通る他方のホイール又はベルトの部分上の突出素子に干渉することがなく、以下の（ｉ）又は（ｉｉ）により基材上へ糸を実質的に横方向に付与することに加えて、縦方向に又は実質的に縦方向に糸を基材上へ付与することを特徴とする方法：
（ｉ）各ホイール又はベルトには各ホイールへ周方向に又は各ベルトへ外側に向けて永久的に固定された突出素子又はフィンガが設けられており、前記糸を横方向ジグザグ模様で付与するために前記二つのホイール又はベルトの近づく部分でそれぞれのホイール又はベルトに設けられた突出素子又はフィンガが交互に離間されて配置され、前記糸はこれらの突出素子又はフィンガと交互に係合され、また前記糸を実質的に縦方向模様（８ｂ）で付与するために前記二つのホイール又はベルトの近づく部分でそれぞれのホイール又はベルトに設けられた突出素子又はフィンガが非交互形態で離間されて配置され、前記糸はこれらの突出素子又はフィンガと非交互に係合される；
（ｉｉ）各ホイール又はベルトには各ホイールへ周方向に又は各ベルトへ外側に向けて固定された突出素子又はフィンガが設けられており、前記糸を横方向ジグザグ模様で付与するために前記二つのホイール又はベルトの近づく部分でそれぞれのホイール又はベルトに設けられた突出素子又はフィンガが交互に離間されて配置され、前記糸はこれらの突出素子又はフィンガと交互に係合され、また前記糸を実質的に縦方向模様（８ｂ）で付与するために糸の基材への付与に先立って前記糸が特定の突出素子又はフィンガとの係合から解放される。
【請求項２】
移動基材（１）へ糸（４）を付与する装置であって、糸が、互いに相手の方へ傾斜した二つのホイール（２、３）、プーリ又は他の回転素子の前記基材から離れた縁部間の周方向相互接触点又は近傍接触点の近くで給与され、各ホイールの上を走行するベルト上で外側に向けて又は各ホイール上で周方向に突出素子（７）が配置され、前記各突出素子は前記糸を前記周方向相互接触点又は近傍接触点であるいはその近くで係合するように配置されており、また前記糸を、係合した状態にある各突出素子がそのそれぞれの傾斜回転ホイール又はベルトと共に動くにつれて、前記基材の運動方向に対して側方向に動かし、前記糸が二つのホイール又はベルトの突出素子間でその側方へ延出した状態で前記基材上に載置される装置に於て、ホイールの内の少なくとも一つのホイール又はベルトの周囲部の少なくとも一つの部分に二つ又はそれ以上の係合突出素子を有し、前記係合突出素子は前記少なくとも一つの部分と同時に周方向相互接触点又は近傍接触点を通る他方のホイール又はベルトの部分上の突出素子に干渉することがなく、基材上へ糸を実質的に横方向に付与することに加えて、縦方向に又は実質的に縦方向に糸を基材上へ付与するために、各ホイール又はベルトには各ホイールへ周方向に又は各ベルトへ外側に向けて永久的に固定された突出素子又はフィンガが設けられており、前記糸を横方向ジグザグ模様で付与するために前記二つのホイール又はベルトの近づく部分でそれぞれのホイール又はベルトに設けられた突出素子又はフィンガが交互に離間されて配置され、また前記糸を実質的に縦方向模様（８ｂ）で付与するために前記二つのホイール又はベルトの近づく部分でそれぞれのホイール又はベルトに設けられた突出素子又はフィンガが非交互形態で離間されて配置されることを特徴とする装置。
【請求項３】
移動基材へ糸を付与する装置であって、糸が、互いに相手の方へ傾斜した二つのホイール、プーリ又は他の回転素子の前記基材から離れた縁部間の周方向相互接触点又は近傍接触点の近くで給与され、各ホイールの上を走行するベルト上で外側に向けて又は各ホイール上で周方向に突出素子が配置され、前記各突出素子は前記糸を前記交差点で又はその近くで係合するように配置され、また前記糸を、係合した状態にある各突出素子がそのそれぞれの傾斜回転ホイール又はベルトと共に移動するにつれて、前記基材の運動方向に対して側方向に動かし、前記糸が二つのホイール又はベルトの突出素子間でその側方へ延出した状態で載置される装置に於て、ホイールの内の少なくとも一つのホイール又はベルトの周囲部の少なくとも一つの部分に二つ又はそれ以上の係合突出素子を有し、前記係合突出素子は前記少なくとも一つの部分と同時に周方向相互接触点又は近傍接触点を通る他方のホイール又はベルトの部分上の突出素子に干渉することがなく、基材上へ糸を実質的に横方向に付与することに加えて、縦方向に又は実質的に縦方向に糸を基材上へ付与するために、各ホイール又はベルトには各ホイールへ周方向に又は各ベルトへ外側に向けて固定された突出素子又はフィンガが設けられており、前記糸を横方向ジグザグ模様で付与するために前記二つのホイール又はベルトの近づく部分でそれぞれのホイール又はベルトに設けられた突出素子又はフィンガが交互に離間されて配置され、また前記糸を実質的に縦方向模様（８ｂ）で付与するために特定の突出素子又はフィンガが、一旦係合された糸を基材への付与に先立って解放することができるように設計されていることを特徴とする装置。
【請求項４】
前記ホイールは第１プーリであり、装置は第２個別プーリをさらに有し、前記突出素子は第１プーリと第２個別プーリとの間を走行する個別ベルトへ外側に向けて取り付けられることを特徴とする請求の範囲第２項又は第３項記載の装置。
【請求項５】
前記各第２プーリの回転軸線はその関連第１プーリの回転軸線に対して平行ではないことを特徴とする請求の範囲第４項記載の装置。
【請求項６】
前記ホイール（２、３；１６、１７）間に加圧ローラ（１９）を配置するか、又は前記ベルト（２２）により前記糸を前記フィンガ（７；１７）から押し出して前記基材（１）と接着させるようにすることを特徴とする請求の範囲第２項又は第３項記載の装置。
【請求項７】
各傾斜ホイール（２７、２８、２９、３０）に対する中間ベルト（３１ａ、ｂ、ｃ、ｄ）が前記ホイールの交差点の反対側に配置され、前記中間ベルト（３１ａ、ｂ、ｃ、ｄ）にはその関連傾斜ホイール（２７、２８、２９、３０）上のフィンガ（７）に対応するフィンガ（３４）が設けられ、前記糸をその側方及び縦方向に延出した状態で受け取り、その状態で、前記糸を前記ベルト（３１ａ、ｂ、ｃ、ｄ）を担持した一方の端部プーリ（３２）の回りへ運び、その後、前記糸を依然として延出状態で移動基材（１）上へ載置することを特徴とする請求の範囲第２項記載の装置。
【発明の詳細な説明】
本発明は、添付の請求の範囲第１項の前文記載の、相対的に移動する基材上へ糸を付与する方法に関する。本発明はまた請求の範囲第２項及び第３項の前文記載の、前記方法を実施する装置にも関する。
かかる相対的に移動する基材へ糸を付与する方法及び装置はスウェーデン特許第209771号に記載されている。これはネット状弾性ウェブを形成するために如何にして糸の片をその下方で移動する縦方向糸にわたって実質的に横方向に配置することができるかを記載している。縦方向糸基材の上方で互いに相手の方へ傾斜した二つのホイールはその頂部で殆ど接触している。各ホイールにはその周囲部に均一に離間されたフィンガが設けられ、前記フィンガはスプールから傾斜ホイール間の前記接触点へホイールが回転するにつれて中央へ分配された糸を交互に引っ掛ける。このように交互引っ掛け部はそれらが各ホイールの周囲部と共に移動するにつれて互いに相手から離れて移動し、これにより糸は幾分“あやとりの複雑な形(cat's cradle)”のような態様で、即ち一方のホイールから他方へジグザグ模様で徐々に延ばされ、その最も幅広の範囲が基材の真上で且つ二つのホイール間の取り上げ接触点に対して正反対の位置に到達する。このスウェーデン特許明細書に示された方法及び装置に於て、横方向延出糸はそれらの最大延長点に到達すると同時に、ナイフにより切断され縦方向糸へ膠着される。
しかしながら、均一に離間されたフィンガを有しまた糸が横方向片として切り離されるこの周知の方法及び装置では、糸で横方向模様が創造できるだけである。ウェブから端と端を接するようにして切断されたパンツおむつの如き弾性パンツ製品の製造に於て、弾性糸を例えばウエスト部域では横方向に、また例えば脚開口を弾性化するために縦方向に、配置する必要がある。今まで、これは前記方法を複雑化させ費用のかかる及び／又は失敗しやすい多数の各種別個の工程手順と、少なくともこれらの端で別個に膠着しなければならない各種糸とを必要としており、これにより製品は多数の緩い端部が生じる恐れがある。
これらの問題は全て、請求の範囲第１項の特徴を記載した節で記載したステップを特徴とする冒頭に記載された方法により解決される。このように単一又は幾つかの平行な弾性糸を連続的に不定長のパンツおむつウェブに沿って付与することが可能であり、そのようにしてウエスト部分で横方向に弾性を、脚開口の回りで密封弾性を、並びに股部分にわたり縦方向弾性が提供されるが、このことは本発明の詳細な説明から明らかになろう。
本発明による方法を実施する本発明の一装置は請求の範囲第２項に開示した特徴を有する。一方のホイール又は両方のホイールから特定の突出素子を除去することにより前記装置は糸を横方向ジグザグ部分と全体的に縦方向に及び／又は傾斜した縦方向部分との両方の部分を持たせて連続して配置することが可能となる。
本発明による方法を実施する本発明の第２の装置は請求の範囲第３項に開示した特徴を有する。突出部はそれらのうちの幾つかが係合から糸を解放するような形状にでき、そのようにして上記装置と同じ模様であるが縦方向部分に各種弾性を有したものを創造する。
本発明の特に有利な一実施例によると、突出素子又はフィンガが傾斜ホイール（この場合プーリ）の上を走行するベルト上へ外側に向けて装着されている。取り上げ点からその正反対に位置する点まで傾斜プーリ上を走行する間、前記装置は上記装置と同態様で機能する。しかしながら、そこでベルトは糸のその延出ジグザグ／縦方向模様で維持した状態で前方傾斜プーリから出る。糸は適当な手段、例えばローラにより突出部から基材へ対接付与されるように押圧することができ、あるいはホイール／プーリの第１対に対して垂直に整合された又は反対方向に傾斜したプーリの第２対を用いてベルトを内方向へ捻ることもでき、またこれら二つの方法を組み合わせることができる。好適実践実施例によると、縦方向及び横方向離間関係にある２対の傾斜ホイールは糸を平行に二列に走行するフィンガ又は突出部を担持したコンベヤベルトへそのジグザグ／縦方向模様を維持した状態で移送する。
本発明による方法はおむつ、パンツおむつ、衛生ブリーフ、失禁用保護具の如き使い捨て吸収性物品の製造に特別な利点と共に使用できるが、それに限定されることはない。
本発明は添付図面に示す幾つかの例に関して以下でより詳細に説明される。図中：
図１は請求の範囲第２項記載の装置の実施例の概略斜視図に関して本発明の原理を示す。
図２は、図１に示す実施例、即ち一つの突出素子を除去した実施例により作られた糸パターンを示す。
図３は一つのホイールから二つの突出素子を除去した実施例（図示せず）により作られた糸パターンを示す。
図４は多数の各種突出素子が各ホイールから除去された場合に作られたパターンを示す。
図５は本発明による４対の傾斜ホイールを平行に配置して使用することにより作られたパターンを示す。
図６は図５に示すパターンで仕上げ裁断されたおむつを示す。
図７Ａ及び７Ｂは本発明の方法を実施するための本発明の装置の一実践実施例の概略図をぞれぞれ縦方向図及び端面図で示す。
図８Ａ及び８Ｂは前記方法を実施するための本発明による装置の第２の好適実践実施例の概略図をぞれぞれ縦方向図及び端面図で示す。
図９は使用可能な一形式の回転フィンガキャップを通る縦断面図を示す。
図１０は図６に示すものに類似したパンツおむつ基材を弾性ネットが基材へ結合された状態で示す。
図１１は図６による弾性体を有するパンツおむつ基材を吸収性ユニットがパンツ基材上へ取り付けられた状態で示す。
図１２は図６による弾性体を有するパンツ基材を第２実施例の吸収性ユニットがパンツ基材へ取り付けられた状態で示す。
図１で見られるように、例えばパンツおむつの結合パンツ層にすることができる基材ウェブ１は二つの回転ホイール２、３の下で動く。これらのホイール２、３は互いに相手の方へ傾斜しそれらの最上方点で殆ど互いに相手に接触している。この場合、弾性コットンスパンゴム糸又はライクラ(lycra)（商標）糸にすることができる糸４はスプール５から解巻され二つのホイール２、３間の接触点へ糸ガイド６を通り移動する。そこで糸は各ホイールの外周の回りに分配配置され接触点で互いに相手と交差する突出素子又はフィンガ７により一方又は他方の側へ引っ掛けられる。ジグザグ模様を作るために、突出素子又はフィンガ７は交互に糸を引っ掛ける二つのホイールの収束部分で均等に離間して配置される。ホイール２、３は図の矢印Ａ、Ｂで示すように回転するにつれて各フィンガは糸が引っ掛けられた状態で末広がり状になり移動基材ウェブの真上の最下方点に到達するまで糸をそれらの間でより幅広の模様及びより幅広のジグザグ模様で延ばし、前記点に於て、例えば基材の幅を横切って延びるローラの如き手段（図１で示されない）が基材との接着接触を行った後でフィンガ７との係合から糸を押し出すことによりジグザグ模様で糸を配置するように構成されている。移動基材にそれらの側方マージンに沿って二列のピンを設けることもまた可能であり、糸は前記ピンへ移され例えば不織布の二つの層間にその延出模様で引続き挟まれる。更なる実施例は図７Ａ、７Ｂ、８Ａ、８Ｂの説明に関連して以下に記載される。
糸を基本的なジグザグ模様に配置することに加えて、（図１、２及び３で示す如く）縦方向に又は図４、５及び６に示す如く斜め縦方向に糸を配置するために、特定の選択されたフィンガ又は一連のフィンガを一方又は他方のホイールから外すことができる。図１に示す例に於て、糸は一つのフィンガがホイール３から除去されていることを除いて基本的に均一なジグザグ模様に引っ掛けられて位置しており、これにより糸の縦方向延出部８ａが作られ、この縦方向延出部８ａは基材１と接着接触した糸の縦方向部分８ｂとして保持される。
勿論、この効果は他の方法、例えば予め引っ掛けられている糸を基材への接着接触に先立って解放するような態様で特定のフィンガを設計することにより達成できる。これは糸が過度の横方向伸張を受ける問題を軽減することができる。
弾力性をもたせることができる糸を、互いに相手へ接着された不織材料の二つの層間に配置することもできる。
これは以下の説明から明らかになる幾つかの利点を有する。
図２は図１に示す如き装置により作られる糸の模様を示し、この模様は一つのフィンガが一つのホイールから除去されていることにより一つの縦方向区分８ｂがそれ以外は基本的にジグザグ模様である糸４に作られている。図３は二つのフィンガを一つのホイールから除去した場合に作られる模様を示す。図４は以下で明らかになるがおむつ及びパンツのおむつ製造に非常に役立つ模様を示す。この模様は先ず各ホイールから一対のフィンガ７ａ、７ｂを除去し、それにより対角線状部分９ａを創造することにより作られる。除去されたフィンガ７ｃは縦方向区分８ｂを作り、一対のフィンガ７ｄ、７ｅを各ホイールから除去することにより作られた対角線状部分９ｂが対角線状部分９ａに向かい合って配向された状態で後に続く。
この形式の四つの模様１０、１１、１２及び１３が図５に示す如く平行にレイアウトされ、図６に示す如く、弾性化されたパンツ型おむつへ付与される。これを行うためには４対の傾斜ホイールが必要である。図６は四つの模様１０、１１、１２、１３を有する基材ウェブから切り取られた非組立状態の弾性化されたパンツおむつの構成部分を示す。両端のジグザグ模様部域は横方向に弾性化されて弾性ウエスト部を提供する。スウェーデン特許出願9402867-7に記載される如く、典型的な幼児の突出した腹部の形状に一致する凹状縁部面を提供するように二つの側部カラム１０、１３はジグザグ部域が傾斜されている。縦方向股部弾性体はそれぞれ尿用及び糞便用の脚部密封弾性体及び弾性ポケットを提供し、またこれはSE 9404567-1に記載される吸収性製品に関連して使用できる。
このように四つの平行連続糸はウエスト部の回りで側方方向弾性を提供し、脚部の回り及び股部域で縦方向弾性を提供する。各糸はその両端で切断するだけで良く、このように弾性体を非常に簡単に取り扱えるようになる。
更なる利点は、糸が不織布の二つの層間に挟まれる場合、各糸はその両端で例えば膠着により結合するだけでよいということである。入り組んだジグザグ模様は各糸の残余部を適正位置に保つが、それは不織布がジグザグ模様を適正位置に保ちながら互いに相手へ結合されるからである。
また本発明による方法は、傾斜ホイールがプーリであり突出素子又はフィンガが前記プーリと第２プーリとの間を走行するベルト上に外側に向けて取り付けられている装置を使用することにより、適用することができ、前記第２プーリは第１プーリ対に対して垂直に配向されるかあるいは第１プーリ対に向かい合って均一に傾斜されている。フィンガは第１傾斜プーリの周囲に従動し、周囲部にフィンガが取り付けられたホイールと全く同じ態様で機能する。次いでベルトは基材の真上の底部に到達すると二つのベルト間に所望の模様で糸を延出させたまま傾斜プーリから出る。糸はベルト上のフィンガから離れて適当な手段（例えばローラ）により押圧することも、また例えば不織布の二つの層間に挟むこともでき、あるいは第２プーリの配向は、ベルトが捻れると糸がフィンガから自然に滑り離れるようにすることもできる。
図７Ａ及び７Ｂは本発明による装置の一実践実施例を示す。一対の傾斜プーリ１５、１６は基材１に対して本質的に平行な経路に従うように対向プーリ１８にわたって走行するベルト２２ａ、ｂを担持する。ベルト２２ａ、ｂは所望のジグザグ／縦方向模様が得られるように適当に長い間隙２３で離間された突出部又はフィンガ１７を備える。この場合弾性糸である糸４はベルトの上方走行部全体に沿って矢印Ｅの方向にスプール（図示せず）から走行し、ここでベルト２２ａ、ｂに担持されたフィンガ１７は公差配列で保持され、糸はそれらの間を走行する。プーリ１５、１６へ到達すると、フィンガ１７を担持したベルト２２ａ、ｂは末広がりになり、ベルトがプーリ１５、１６を出て下方走行部に沿って進むときに保持されている所望のジグザグ／縦方向模様を創造する。下方走行部に沿ってベルト２２ａ、ｂ間を走行するローラ１９はジグザグ／縦方向模様状の糸をフィンガ１７から押し出し、夏の膠着ユニット２０から膠着剤２１を丁度吹き付けられたところの基材１上へと押圧することにより糸を埋め込んで所望のジグザグ／横方向模様を保持する。
フィンガが末広がり状になるとき糸４とフィンガ１７との間の摩擦が糸に過度の張力を生じさせたり糸を破損したりすることのないように、各フィンガ１７にはフィンガピン２５上でジャーナル軸受（図示せず）又は回転接触軸受２６を介して自由に回転する回転キャップ２４（図９参照）が設けられる。
図８ａ及び８ｂはフィンガを備えた二対の傾斜ホイール２７、２８及び２９、３０と移動基材１との間でフィンガを備えた中間移送ベルト３１ａ、ｂ、ｃ、ｄを使用する本発明の他の好適実践実施例をそれぞれ縦方向図及び端面図で示す。二対の傾斜ホイール２７、２８及び２９、３０は図で見られるように縦方向及び側方に離間され、並んで殆ど接触している二つのジグザグ／縦方向模様を基材上に付与する。各対の傾斜ホイールは二つのスプール（図示せず）の内の一つのスプールからＥ2方向に送られた糸を収束状態（近づいた状態の）のフィンガ間に受け取り、そのすぐ後で回転ホイールの末広がりになったフィンガが上記態様でジグザグ／縦方向模様を創造する。フィンガが回転ホイールの底部に到達すると、糸は互いに相手に関して平行に配置されたベルト３１ａ、ｂ、ｃ、ｄに担持されたフィンガ上へ糸のジグザグ／縦方向形状を保持しながら移送される。各傾斜ホイール２７、２８、２９、３０に対して一つの移送ベルト３１ａ、ｂ、ｃ、ｄが存在する。次いで基材に到達した後の糸は、図７Ａ及び７Ｂに関して上述したものと同じ態様、基材上に吹き付けられている膠着剤２１へ圧入される。
中間移送ベルトのこの構成により膠着剤がフィンガキャップ軸受２６（図９参照）内へ入り込まないようにし、且つフィンガキャップ２４の回転を防ぎ、それにより糸の摩擦及び糸の破損が生じることのないようにする。
傾斜ホイールの間隙３２ａに対応する長い間隙３２ｂを有した図８ａに示す実施例とは対称的に、中間移送ベルト３１ａ、ｂ、ｃ、ｄには連続的な詰まった間隔の、ベルト全体を覆う、一連のフィンガを設けることができる。これはベルトがホイールに同期する必要性を除去し、その際、傾斜ホイール２７、２８及び２９、３０により作られる元のジグザグ／縦方向模様は依然として保持される。これは各種模様を作る必要がある場合、中間移送ベルト３１ａ、ｂ、ｃ、ｄを交換又は同期させることなしに、対になったホイールを変えることを可能にする。また各移送ベルト上に連続的な詰まった間隔の一連のフィンガを有していることにより各ベルトを僅かに異なる速度で走行させて、各一対のベルトに於て一方のベルトを他方のベルトに関して整数のフィンガを一周期の間に前進させるようにすることもできる。これにより斜めに向けられた、即ち一方の側から他方の側へ移動する際に均一に前進しない（図５及び図６の模様１０及び１３参照）、あるいは一方の側から他方へ逆行さえするジグザグ模様を得ることができる。
例えば縦方向及び横方向弾性及び／又は強度が得られるようにジグザグ模様に縦方向模様を重ねた模様の如く、各種模様を互いに相手の上へ重ねるために一直線に連なった傾斜ホイール対を配置することもまた可能である。
図１０は図１ないし図６に関連して記載された弾性体の如く伸張された弾性体及び不織材料のパンツ基材から形成されたパンツ１０を示す。
図１１は二つの部分１２及び１３を含む吸収性ユニット１１を示し、ここで第１部分１２はパンツ１０の尿用開口１４を覆って配置され第２部分１３は肛門部域用開口１５を覆って配置される。吸収性部分１２はパンツに対して周部で取り付けられる外方不透液性カバー１６を含む。
前記カバー１６の内側の空間にはセルロースフラッフ及び／又は吸収性ゲルの如き吸収性材料を充填することができる。
糞便用吸収性部分１３はパンツに対して周部で取り付けられた外方不透液性カバー１７を含む。カバー１７の内側の空間は好ましくは空であり、なぜならそれは糞便をそのカバーの内側へ保持するよう意図されているからである。
図１２に於ける吸収性ユニット１１は尿用開口１４及び肛門部域用開口１５の両方を覆う。前記吸収性ユニットはカバー１８の内側に吸収性材料を含むことができる。
図１１及び１２による吸収性物品は改変することができる。重要な事項は、周知の吸収性物品と著しく異なり、それは形成されるパンツがパンツ全体にわたり、また使用者の尿道口及び肛門の近くで、使用者の肌と緊密に接触するパンツが形成されること、及び吸収性ユニットがパンツの外側に配置されパンツにより持ち上げられていることである。
小さな孔１４、１５を有する弾性パンツが設計できるが、それは小さな孔はパンツの弾性特性により適正位置で保持されまた解放状態を維持されるからである。
糞便又は尿が排泄されると、それらは吸収性ユニットの各ポケット内へとそれぞれの孔を通り抜けて進む。
尿及び糞便収集部分１２、１３はパンツへ前記それぞれの孔を密接包囲する弾性パンツの部分にしっかりと密封状態で取り付けることができる。
前方ポケット、即ち吸収性部分１２は尿で満たされ、またその重みで押し下げられるが、その際、それが使用者と接触している部分から弾性パンツを引っ張ることはない。二つの部分１２及び１５は互いに相手から分離されているので糞便と尿とは混合されず、このことは肌への刺激を防ぐという利点となる。
カバー１６及び１７は糞便又は尿で満たされるにつれて膨張することが可能な弾性材料から作ることができる。またカバー１７及び１８はそれらが満たされるにつれて膨張するようにベローズのように折り曲げることもできる。
【図１】
0003752550.tif 000002
【図２】
0003752550.tif 000003
【図３】
0003752550.tif 000004
【図４】
0003752550.tif 000005
【図５】
0003752550.tif 000006
【図６】
0003752550.tif 000007
【図７Ａ】
0003752550.tif 000008
【図７Ｂ】
0003752550.tif 000009
【図９】
0003752550.tif 000010
【図８Ａ】
0003752550.tif 000011
【図８Ｂ】
0003752550.tif 000012
【図１０】
0003752550.tif 000013
【図１１】
0003752550.tif 000014
【図１２】
0003752550.tif 000015